(57)【要約】【課題】  売上金の回収および釣銭準備金の受け渡しを貨幣カセットの交換で行う売上金回収システムに用いられるもので、貨幣カセットの交換後速やかに売上金の入金が可能となる売上金入金機の提供。【解決手段】  カセット脱着検出手段５３，６５で貨幣カセット３８の機体４５に対する離脱および該離脱後の装填が検出されると、機体４５に装填された貨幣カセット３８の貨幣を保管庫５７に受け渡させた後に、貨幣カセット３８の機体４５に対する離脱時から禁止状態とされている売上金入金処理動作を許可する。【選択図】        図１
2005276082.tif 000002
【特許請求の範囲】
【請求項１】
入金部に投入された貨幣を機体内に取り込んで識別し識別結果から正常と判定された貨幣のみを機体内に装填された貨幣カセットに収納させる売上金入金処理動作を行うとともに、前記貨幣カセットに収納した売上金が回収時に該貨幣カセットごと機外に取り出され、かわりに釣銭準備金を収納した貨幣カセットが装填される売上金回収システムに用いられる売上金入金機であって、
前記貨幣カセットの機体に対する脱着を検出するカセット脱着検出手段と、
機体に装填された前記貨幣カセットの貨幣を受取可能な保管庫と、
機体に装填された前記貨幣カセットの貨幣を前記保管庫に受け渡す受渡手段と、
前記カセット脱着検出手段で前記貨幣カセットの機体に対する離脱および該離脱後の装填が検出されると、機体に装填された前記貨幣カセットの貨幣を前記受渡手段で前記保管庫に受け渡させた後に、前記貨幣カセットの機体に対する離脱時から禁止状態とされている前記売上金入金処理動作を許可する制御手段とを有することを特徴とする売上金入金機。
【請求項２】
前記保管庫に設けられて前記貨幣カセットからの貨幣を受け取る受取口と、
該受取口を開閉させる受取口開閉部材と、
該受取口開閉部材を前記貨幣カセットが機体へ装填された状態で開状態とし前記貨幣カセットが機体から離脱された状態で閉状態かつロック状態とする受取口開閉部材開閉手段とを有することを特徴とする請求項１記載の売上金入金機。
【請求項３】
前記受取口開閉部材開閉手段は、前記貨幣カセットの機体への装填に連動して前記受取口開閉部材を開状態とすることを特徴とする請求項２記載の売上金入金機。
【請求項４】
前記受取口開閉部材開閉手段は、前記貨幣カセットの機体に対する装填または離脱に連動して前記受取口開閉部材を閉状態かつロック状態とすることを特徴とする請求項２または３記載の売上金入金機。
【請求項５】
前記保管庫は機体本体に対し引出可能に設けられており、前記受取口開閉部材と前記受取口開閉部材開閉手段とが前記機体本体側に設けられていることを特徴とする請求項２乃至４のいずれか一項記載の売上金入金機。
【請求項６】
前記貨幣カセットには、前記保管庫に向けて貨幣を放出する放出口と、該放出口を開閉させる放出口開閉部材とが設けられ、前記カセット脱着検出手段で前記貨幣カセットの機体に対する離脱および該離脱後の装填が検出されると、当該装填された貨幣カセットの前記放出口開閉部材を開状態とし、その後、前記売上金入金処理動作を許可する前に該放出口開閉部材を閉状態かつロック状態とする放出口開閉部材開閉手段を有することを特徴とする請求項１乃至５のいずれか一項記載の売上金入金機。
【請求項７】
前記保管庫は機体に装填された前記貨幣カセットの真下に設けられていることを特徴とする請求項１乃至６のいずれか一項記載の売上金入金機。
【発明の詳細な説明】
【技術分野】
【０００１】
本発明は、例えばコンビニエンスストア等の小売店舗に設置され、店舗の売上金を入金する売上金入金機に関する。
【背景技術】
【０００２】
コンビニエンスストア等の小売店舗においては、警送会社が店舗から売上金を回収するとともに、その際に警送会社が用意していた釣銭準備金を店舗側に受け渡すような売上金の回収形態があり、このような回収形態において用いられる売上金入金機として例えば特許文献１に開示されたものがある。
【０００３】
この特許文献１に開示された売上金入金機は、警送会社がこの売上金入金機の貨幣カセットに収納された売上金を貨幣カセットごと回収する際に、予め釣銭準備金を収納した交換用貨幣カセットをかわりに装填するような回収システムに対応するためのもので、貨幣カセットが交換された後に店側の人間によって釣銭準備金が取り出され貨幣カセットが空状態にされると、次の売上金入金作業が可能な状態となるようになっている。この売上金入金機は、警送会社の担当者による売上金の回収並びに釣銭準備金の受け渡しを、店側の人間が立ち会わずに行うことができる。
【特許文献１】特許第３３４０１７６号公報
【発明の開示】
【発明が解決しようとする課題】
【０００４】
しかしながら、上記特許文献１に開示された売上金入金機では、警送会社の担当者による売上金の回収並びに釣銭準備金の受け渡しが完了しても、釣銭準備金が取り出され貨幣カセットが空状態にされなければ、売上金入金機として使用できず、店側の管理者の不在等で釣銭準備金の取り出しが遅れれば遅れるほど入金できない売上金が高額になってしまうおそれがあった。
【０００５】
したがって、本発明は、売上金の回収および釣銭準備金の受け渡しを貨幣カセットの交換で行う売上金回収システムに用いられるもので、貨幣カセットの交換後速やかに売上金の入金が可能となる売上金入金機の提供を目的とする。
【課題を解決するための手段】
【０００６】
上記目的を達成するために、請求項１に係る発明は、入金部に投入された貨幣を機体内に取り込んで識別し識別結果から正常と判定された貨幣のみを機体内に装填された貨幣カセットに収納させる売上金入金処理動作を行うとともに、前記貨幣カセットに収納した売上金が回収時に該貨幣カセットごと機外に取り出され、かわりに釣銭準備金を収納した貨幣カセットが装填される売上金回収システムに用いられる売上金入金機であって、前記貨幣カセットの機体に対する脱着を検出するカセット脱着検出手段と、機体に装填された前記貨幣カセットの貨幣を受取可能な保管庫と、機体に装填された前記貨幣カセットの貨幣を前記保管庫に受け渡す受渡手段と、前記カセット脱着検出手段で前記貨幣カセットの機体に対する離脱および該離脱後の装填が検出されると、機体に装填された前記貨幣カセットの貨幣を前記受渡手段で前記保管庫に受け渡させた後に、前記貨幣カセットの機体に対する離脱時から禁止状態とされている前記売上金入金処理動作を許可する制御手段とを有することを特徴としている。
【０００７】
請求項２に係る発明は、請求項１に係る発明において、前記保管庫に設けられて前記貨幣カセットからの貨幣を受け取る受取口と、該受取口を開閉させる受取口開閉部材と、該受取口開閉部材を前記貨幣カセットが機体へ装填された状態で開状態とし前記貨幣カセットが機体から離脱された状態で閉状態かつロック状態とする受取口開閉部材開閉手段とを有することを特徴としている。
【０００８】
請求項３に係る発明は、請求項２に係る発明において、前記受取口開閉部材開閉手段は、前記貨幣カセットの機体への装填に連動して前記受取口開閉部材を開状態とすることを特徴としている。
【０００９】
請求項４に係る発明は、請求項２または３に係る発明において、前記受取口開閉部材開閉手段は、前記貨幣カセットの機体に対する装填または離脱に連動して前記受取口開閉部材を閉状態かつロック状態とすることを特徴としている。
【００１０】
請求項５に係る発明は、請求項２乃至４のいずれか一項に係る発明において、前記保管庫は機体本体に対し引出可能に設けられており、前記受取口開閉部材と前記受取口開閉部材開閉手段とが前記機体本体側に設けられていることを特徴としている。
【００１１】
請求項６に係る発明は、請求項１乃至５のいずれか一項に係る発明において、前記貨幣カセットには、前記保管庫に向けて貨幣を放出する放出口と、該放出口を開閉させる放出口開閉部材とが設けられ、前記カセット脱着検出手段で前記貨幣カセットの機体に対する離脱および該離脱後の装填が検出されると、当該装填された貨幣カセットの前記放出口開閉部材を開状態とし、その後、前記売上金入金処理動作を許可する前に該放出口開閉部材を閉状態かつロック状態とする放出口開閉部材開閉手段を有することを特徴としている。
【００１２】
請求項７に係る発明は、請求項１乃至６のいずれか一項に係る発明において、前記保管庫は機体に装填された前記貨幣カセットの真下に設けられていることを特徴としている。
【発明の効果】
【００１３】
請求項１に係る発明によれば、売上金を収納した貨幣カセットを離脱させ、かわりに釣銭準備金を収納した貨幣カセットを装填すると、カセット脱着検出手段で貨幣カセットの機体に対する離脱および該離脱後の装填が検出されることになり、これにより制御手段が、機体に装填された貨幣カセットの貨幣つまり釣銭準備金を受渡手段で保管庫に受け渡させる。そして、その後、貨幣カセットの機体に対する離脱時から禁止状態とされている売上金入金処理動作を許可する。このように、釣銭準備金を機外に取り出すことなく機体内で貨幣カセットから保管庫に移すことができることから、店側の管理者でなくても保安上問題なく釣銭準備金を移すことができ、よって、貨幣カセットの装填後に速やかに釣銭準備金を移して貨幣カセットを空にすることができる。したがって、売上金の回収および釣銭準備金の受け渡しを貨幣カセットの交換で行う売上金回収システムに用いられるものにおいて、貨幣カセットの交換後速やかに売上金の入金が可能となる。
【００１４】
請求項２に係る発明によれば、貨幣カセットからの貨幣つまり釣銭準備金を受け入れる保管庫に設けられた受取口を開閉させる受取口開閉部材が、受取口開閉部材開閉手段によって、貨幣カセットが機体へ装填された状態で開状態とされ貨幣カセットが機体から離脱された状態で閉状態かつロック状態とされるため、貨幣カセットが機体から離脱された状態で保管庫の受取口を閉塞状態にでき、保安上優れることになる。
【００１５】
請求項３に係る発明によれば、受取口開閉部材開閉手段が、貨幣カセットの機体への装填に連動して受取口開閉部材を開状態とするため、機体に装填された貨幣カセットの貨幣つまり釣銭準備金を受渡手段で保管庫に受け渡させる際に、受取口開閉部材を開状態とするためだけの操作が不要で、操作が容易となる。
【００１６】
請求項４に係る発明によれば、受取口開閉部材開閉手段が、貨幣カセットの機体に対する装填または離脱に連動して受取口開閉部材を閉状態かつロック状態とするため、機体に装填された貨幣カセットの貨幣つまり釣銭準備金を受渡手段で保管庫に受け渡させた後に、受取口開閉部材を閉状態かつロック状態とするためだけの操作が不要で、操作が容易となる。
【００１７】
請求項５に係る発明によれば、受取口開閉部材と受取口開閉部材開閉手段とが機体本体側に設けられているため、保管庫を機体本体に対し引き出した場合には、無関係に受取口を開放できる。したがって、保管庫からの貨幣つまり釣銭準備金の取り出しが容易となる。
【００１８】
請求項６に係る発明によれば、カセット脱着検出手段で貨幣カセットの機体に対する離脱および該離脱後の装填が検出されると、放出口開閉部材開閉手段が、当該装填された貨幣カセットの放出口開閉部材を開状態として放出口を開放させるため、機体に装填された貨幣カセットの貨幣つまり釣銭準備金を受渡手段で保管庫に受け渡させる際に、放出口開閉部材を開状態とするためだけの操作が不要で、操作が容易となる。そして、その後、放出口開閉部材開閉手段は、売上金入金処理動作を許可する前に放出口開閉部材を閉状態かつロック状態とするため、機体に装填された貨幣カセットの貨幣つまり釣銭準備金を受渡手段で保管庫に受け渡させた後、放出口開閉部材を閉状態かつロック状態とするためだけの操作が不要で、操作が容易となる。
【００１９】
請求項７に係る発明は、保管庫は機体に装填された貨幣カセットの真下に設けられているため、貨幣カセットから保管庫への貨幣つまり釣銭準備金の受け渡しのための機構を簡素かつコンパクトにできる。
【発明を実施するための最良の形態】
【００２０】
本発明の一実施形態の売上金入金機を図面を参照して以下に説明する。
【００２１】
本実施形態の売上金入金機１１は、紙幣（貨幣）について入金処理を行う紙幣入金処理部１２と、硬貨（貨幣）について入金処理を行う硬貨入金処理部１３とを上部に有している。また、操作者に対し表示を行うとともに操作者により操作入力が行われる表示操作部１４と、紙面への印字あるいは記憶媒体へのデータ入力等でデータを外部に受け渡すデータ受渡部１５とが設けられており、内部には全体を制御する制御部（制御手段）１６が設けられている。
【００２２】
紙幣入金処理部１２は、機外からバラ紙幣が投入される紙幣入金部（入金部）２１と、この紙幣入金部２１に投入されたバラ紙幣を一枚ずつ分離して繰り出す紙幣繰出部（繰出部）２２と、この紙幣繰出部２２で繰り出された紙幣を搬送する紙幣搬送部（搬送部）２３と、この紙幣搬送部２３で搬送中の紙幣を識別する紙幣識別部（識別部）２４と、この紙幣識別部２４の識別結果に基づいて紙幣搬送部２３において紙幣を二方向に振り分ける紙幣振分部（振分部）２５と、紙幣識別部２４の識別結果から正常な紙幣と判定されて紙幣振分部２５で一方に振り分けられた紙幣を一時貯留させる紙幣一時貯留部（一時貯留部）２６と、紙幣識別部２４の識別結果から正常でない紙幣と判定されて紙幣振分部２５で他方に振り分けられた紙幣を機外に排出させる紙幣リジェクト部（リジェクト部）２７と、紙幣一時貯留部２６で一時貯留させた紙幣を表示操作部１４への入金確定操作後に収納する紙幣カセット（貨幣カセット）２８とを有している。
【００２３】
硬貨入金処理部１３は、機外からバラ硬貨が投入される硬貨入金部（入金部）３１と、この硬貨入金部３１に投入されたバラ硬貨を一枚ずつ分離して繰り出す硬貨繰出部（繰出部）３２と、この硬貨繰出部３２で繰り出された硬貨を搬送する硬貨搬送部（搬送部）３３と、この硬貨搬送部３３で搬送中の硬貨を識別する硬貨識別部（識別部）３４と、この硬貨識別部３４の識別結果に基づいて硬貨搬送部３３において硬貨を二方向に振り分ける硬貨振分部（振分部）３５と、硬貨識別部３４の識別結果から正常な硬貨と判定されて硬貨振分部３５で一方に振り分けられた硬貨を一時貯留させる硬貨一時貯留部（一時貯留部）３６と、硬貨識別部３４の識別結果から正常でない硬貨と判定されて硬貨振分部３５で他方に振り分けられた硬貨を機外に排出させる硬貨リジェクト部（リジェクト部）３７と、硬貨一時貯留部３６で一時貯留させた硬貨を表示操作部１４への入金確定操作後に収納する硬貨カセット（貨幣カセット）３８とを有している。
【００２４】
ここで、硬貨一時貯留部３６と紙幣一時貯留部２６とは、互いに高さを合わせており、上下方向における中間部において機体本体４１に対し引出可能に設けられた一時貯留引出機構部４２に脱着不可な状態で並設されている。つまり、一時貯留させた貨幣を返却する際には、この一時貯留引出機構部４２が機体本体４１から引き出されることで機外に取り出される。機体本体４１には、この一時貯留引出機構部４２が引出状態にあるか押込状態にあるかを検出する一時貯留引出センサ４３と、一時貯留引出機構部４２を押込状態で機体本体４１にロックする一時貯留引出ロック部４４とが設けられており、一時貯留引出センサ４３は制御部１６に検出結果を出力し一時貯留引出ロック部４４は制御部１６でロックおよびロック解除が制御される。なお、機体本体４１および一時貯留引出機構部４２は、ともに機体４５の一部を構成している。
【００２５】
そして、硬貨一時貯留部３６の下側に硬貨一時貯留部３６の硬貨を受け入れ可能な硬貨カセット３８が設けられ、紙幣一時貯留部２６の下側に紙幣一時貯留部２６の紙幣を受け入れ可能な紙幣カセット２８が設けられている。
【００２６】
これら硬貨カセット３８および紙幣カセット２８も、互いに高さを合わせており、一時貯留引出機構部４２の下側において機体本体４１に対し引出可能に設けられたカセット引出機構部４８に並設されている。硬貨カセット３８および紙幣カセット２８は、カセット引出機構部４８に対し脱着可能に設けられている。つまり、カセット引出機構部４８には、硬貨カセット３８が装着される硬貨カセット装着部４９が機体４５の前面４５ａ側に設けられ、紙幣カセット２８が装着される紙幣カセット装着部５０がその後側に設けられている。このカセット引出機構部４８も機体４５の一部を構成している。機体本体４１には、このカセット引出機構部４８が引出状態にあるか押込状態にあるかを検出するカセット引出センサ（カセット脱着検出手段）５３と、カセット引出機構部４８を押込状態で機体本体４１にロックするカセット引出ロック部５４とが設けられており、カセット引出センサ５３は制御部１６に検出結果を出力しカセット引出ロック部５４は制御部１６でロックおよびロック解除が制御される。
【００２７】
さらに、硬貨カセット３８の下側に保管庫５７が設けられている。この保管庫５７もカセット引出機構部４８の下側において機体本体４１に対し引出可能に設けられた保管庫引出機構部５８に脱着不可に設けられている。機体本体４１には、この保管庫引出機構部５８が引出状態にあるか押込状態にあるかを検出する保管庫引出センサ５９と、保管庫引出機構部５８を押込状態で機体本体４１にロックする保管庫引出ロック部６０とが設けられており、保管庫引出センサ５９は制御部１６に検出結果を出力し保管庫引出ロック部６０は制御部１６でロックおよびロック解除が制御される。保管庫引出機構部５８も機体４５の一部を構成している。つまり、脱着可能な硬貨カセット３８および紙幣カセット２８以外が機体４５を構成している。なお、制御部１６は、別途設けられた保管庫引出キー６１の機体４５側に設けられたキーシリンダ６２への挿入操作により保管庫引出ロック部６０をロックおよびロック解除する。この保管庫引出キー６１はロック状態においてのみ引き抜き可能となる。
【００２８】
上記したように硬貨カセット３８が機体４５のカセット引出機構部４８の硬貨カセット装着部４９に対し脱着可能に設けられており、硬貨カセット装着部４９には、この硬貨カセット３８のカセット引出機構部４８に対する脱着を検出する硬貨カセット脱着センサ（カセット脱着検出手段）６５が設けられている。硬貨カセット脱着センサ６５は制御部１６に検出結果を出力する。
【００２９】
また、硬貨カセット３８は、上部に硬貨一時貯留部３６からの硬貨を受け入れるための硬貨受入口６７と、この硬貨受入口６７を開閉させる硬貨受入口シャッタ６８と、硬貨受入口シャッタ６８の開閉状態を検出する硬貨受入口シャッタセンサ６９と、硬貨受入口シャッタ６８を閉状態でロックする硬貨受入口シャッタロック部７０とを有している。また、機体４５側には、制御部１６で制御されて硬貨受入口シャッタ６８を開閉駆動するとともに硬貨受入口シャッタ６８を閉状態で硬貨受入口シャッタロック部７０によりロックおよびロック解除させる硬貨受入口シャッタ制御機構７１が設けられている。なお、硬貨受入口シャッタ６８は硬貨受入口シャッタ制御機構７１と関わるときのみロック解除可能および開作動可能で、硬貨受入口シャッタ制御機構７１から離れる、つまり機体４５から離脱すると硬貨受入口シャッタ６８は常に閉かつロック状態とされる。
【００３０】
さらに、硬貨カセット３８は、内部に対し貨幣の出し入れを可能とする開閉扉７２が設けられており、この開閉扉７２には別体のカセット開閉キー７３の挿入操作によりロックおよびロック解除される開閉扉ロック部７４が設けられている。カセット開閉キー７３はロック状態においてのみ引き抜き可能となる。
【００３１】
同様に、紙幣カセット２８が機体４５のカセット引出機構部４８の紙幣カセット装着部５０に対し脱着可能に設けられており、紙幣カセット装着部５０には、この紙幣カセット２８のカセット引出機構部４８に対する脱着を検出する紙幣カセット脱着センサ７５が設けられている。紙幣カセット脱着センサ７５は制御部１６に検出結果を出力する。
【００３２】
また、紙幣カセット２８も、上部に紙幣一時貯留部２６からの紙幣を受け入れるための紙幣受入口７７と、この紙幣受入口７７を開閉させる紙幣受入口シャッタ７８と、紙幣受入口シャッタ７８の開閉状態を検出する紙幣受入口シャッタセンサ７９と、紙幣受入口シャッタ７８を閉状態でロックする紙幣受入口シャッタロック部８０とを有している。また、機体４５側には、制御部１６で制御されて紙幣受入口シャッタ７８を開閉駆動するとともに紙幣受入口シャッタ７８を閉状態で受入口シャッタロック部８０によりロックおよびロック解除させる紙幣受入口シャッタ制御機構８１が設けられている。なお、紙幣受入口シャッタ７８は紙幣受入口シャッタ制御機構８１と関わるときのみロック解除可能および開作動可能で、紙幣受入口シャッタ制御機構８１から離れる、つまり機体４５から離脱すると常に閉かつロック状態とされる。
【００３３】
さらに、紙幣カセット２８も、内部に対し紙幣の出し入れを可能とする開閉扉８２が設けられており、この開閉扉８２には別体のカセット開閉キー８３の挿入操作によりロックおよびロック解除される開閉扉ロック部８４が設けられている。このカセット開閉キー８３はロック状態においてのみ引き抜き可能となる。
【００３４】
ここで、硬貨カセット３８がカセット引出機構部４８の硬貨カセット装着部４９に装着された状態でカセット引出機構部４８が機体本体４１に押し込まれると、硬貨カセット３８が機体４５に装填された状態となる。つまり、硬貨カセット３８が機内での取引が可能な状態となる。また、カセット引出機構部４８が機体本体４１から引き出され、硬貨カセット３８がカセット引出機構部４８から取り外されると、硬貨カセット３８が機体４５から離脱する状態となる。制御部１６は、硬貨カセット脱着センサ６５およびカセット引出センサ５３の検出結果から硬貨カセット３８の機体４５に対する装填および離脱を判定する。
【００３５】
同様に、紙幣カセット２８がカセット引出機構部４８の紙幣カセット装着部５０に装着された状態でカセット引出機構部４８が機体本体４１に押し込まれると、紙幣カセット２８が機体４５に装填された状態となる。つまり、紙幣カセット２８が機内での取引が可能な状態となる。また、カセット引出機構部４８が機体本体４１から引き出され、紙幣カセット２８がカセット引出機構部４８から取り外されると、紙幣カセット２８が機体４５から離脱する状態となる。制御部１６は、紙幣カセット脱着センサ７５およびカセット引出センサ５３の検出結果から紙幣カセット２８の機体４５に対する装填および離脱を判定する。
【００３６】
そして、本実施形態においては、機体本体４１にカセット引出機構部４８が押し込まれた状態でこのカセット引出機構部４８に装着された状態にある（つまり機体４５に装填された状態にある）硬貨カセット３８の真下に保管庫５７が設けられており、この硬貨カセット３８から、保管庫５７は貨幣を受取可能となっている。このため、カセット引出機構部４８には、硬貨カセット装着部４９の底面に開口部８７が設けられている。ここで、機体４５に装填された状態にある硬貨カセット３８には、内部の貨幣の有無を検出する貨幣検出センサ（貨幣受渡検出手段）８８が設けられており、この貨幣検出センサ８８が硬貨カセット３８から保管庫５７への貨幣の受け渡しを検出する。図示は略すが、勿論、硬貨カセット３８以外の、紙幣カセット２８、硬貨一時貯留部３６および紙幣一時貯留部２６等の各部にも貨幣の有無や収納量を検出するセンサが設けられている。
【００３７】
硬貨カセット３８は、下部に内部の貨幣を放出するための放出口９１と、この放出口９１を開閉させる放出口シャッタ（受渡手段、放出口開閉部材）９２と、放出口シャッタ９２の開閉状態を検出する放出口シャッタセンサ９３と、放出口シャッタ９２を閉状態でロックする放出口シャッタロック部９４とを有している。また、機体４５側には、制御部１６で制御されて放出口シャッタ９２を開閉駆動するとともに放出口シャッタ９２を閉状態で放出口シャッタロック部９４によりロックおよびロック解除させる放出口シャッタ制御機構（受渡手段，放出口開閉部材開閉手段）９５が設けられている。なお、放出口シャッタ９２は放出口シャッタ制御機構９５と関わるときのみロック解除可能および開作動可能で、放出口シャッタ制御機構９５から離れる、つまり機体４５から離脱すると常に閉かつロック状態とされる。
【００３８】
また、保管庫５７は、上部に硬貨カセット３８からの貨幣を受け取る受取口９８を有しており、機体本体４１における保管庫５７の上側には、この受取口９８を開閉させる受取口シャッタ（受取口開閉部材）９９と、受取口シャッタ９９の開閉状態を検出する受取口シャッタセンサ１００と、制御部１６で制御されて受取口シャッタ９９を開閉駆動するとともに受取口シャッタ９９を閉状態でロックおよびロック解除する受取口シャッタ制御機構（受取口開閉部材開閉手段）１０１とが設けられている。ここで、受取口シャッタ９９は、機体本体４１に設けられていることから、保管庫引出機構部５８が機体本体４１に対し押し込まれた状態においてのみ受取口９８を閉状態とすることが可能となっている。つまり、保管庫引出機構部５８が機体本体４１に対し引き出されると、受取口シャッタ９９は機体本体４１に残されることになり、よって保管庫５７の受取口９８は受取口シャッタ９９とは無関係に開状態となる。
【００３９】
そして、機体４５には、店舗側管理者および警送会社の搬送担当者の管理下にある別体のモード切替キー１０４の挿入切り替え操作によって制御部１６のモードを切り替えるキーシリンダ１０５が設けられている。なお、切り替えられるモードは、売上金を入金する際に選択される売上金入金モードおよび売上金を回収する際に選択される売上金回収モード等である。なお、制御部１６は、モード切替キー１０４のキーシリンダ１０５への挿入操作でカセット引出ロック部５４をロックおよびロック解除する。つまり、モード切替キー１０４で売上金回収モードが選択された場合に限り、制御部１６は、カセット引出ロック部５４をロック解除状態とする。
【００４０】
以上の売上金入金機１１は、同じ紙幣カセット２８および同じ硬貨カセット３８をそれぞれ複数台準備しておき、紙幣カセット２８および硬貨カセット３８に収納した売上金が警送会社による回収時に紙幣カセット２８および硬貨カセット３８ごと機外に取り出され、かわりに釣銭準備金を収納した硬貨カセット３８と空の紙幣カセット２８とが装填される売上金回収システムに用いられる。
【００４１】
次に、売上金入金機１１の作動およびこれを用いた売上金回収システムについて説明する。
【００４２】
店舗側管理者の管理下にあるモード切替キー１０４がキーシリンダ１０５に挿入操作されて売上金入金モードが選択された場合に限り、制御部１６は、動作禁止時を除き以下の売上金入金動作を行う。ここで、動作禁止時とは、例えば、カセット引出センサ５３でカセット引出機構部４８の引き出しが検出されていたり、硬貨カセット脱着センサ６５で硬貨カセット３８の取り外しが検出されていたり、紙幣カセット脱着センサ７５で紙幣カセット２８の取り外しが検出されていたり、放出口シャッタセンサ９３で硬貨カセット３８の放出口シャッタ９２の開状態が検出されている場合である。また、売上金入金モードが選択されていると、制御部１６はカセット引出機構部４８をカセット引出ロック部５４でロック状態とする。
【００４３】
売上金入金動作は、硬貨入金部３１に硬貨が紙幣入金部２１に紙幣が投入された状態で表示操作部１４の図示略のスタートキーが押下操作されると、硬貨入金部３１に投入された硬貨を機体４５内に取り込んで硬貨識別部３４で識別し識別結果から正常と判定された硬貨のみを硬貨一時貯留部３６に一時貯留させる一方で偽、汚損および識別不能と判別された硬貨は硬貨リジェクト部３７にリジェクトさせ、同様に紙幣入金部２１に投入された紙幣を機体４５内に取り込んで紙幣識別部２４で識別し識別結果から正常と判定された紙幣のみを紙幣一時貯留部２６に一時貯留させる一方で偽、汚損および識別不能と判別された紙幣は紙幣リジェクト部２７にリジェクトさせる。
【００４４】
そして、識別結果に基づいて、総額、金種別金額等を表示操作部１４に表示させて操作者に確認を行い、操作者により表示操作部１４への確定操作の入力があると、硬貨一時貯留部３６の硬貨を機体４５内に装填された硬貨カセット３８に受け渡して収納させるとともに、紙幣一時貯留部２６の紙幣を機体４５内に装填された紙幣カセット２８に受け渡して収納させるとともに、識別結果に基づく総額、金種別金額等を記憶する。
【００４５】
ここで、制御部１６は、硬貨カセット３８および紙幣カセット２８の硬貨一時貯留部３６および紙幣一時貯留部２６からの貨幣の受け渡しを可能とする必要がある。このため、制御部１６は、機外にあった硬貨カセット３８および紙幣カセット２８が機体４５に装填される、つまりカセット引出機構部４８に装着されさらにこのカセット引出機構部４８が機体本体４１に押し込まれた状態になったことが、硬貨カセット脱着センサ６５、紙幣カセット脱着センサ７５およびカセット引出センサ５３で検出されると、この検出に連動して硬貨受入口シャッタ制御機構７１および紙幣受入口シャッタ制御機構８１によって硬貨カセット３８および紙幣カセット２８のそれぞれの硬貨受入口シャッタ６８および紙幣受入口シャッタ７８を硬貨受入口シャッタロック部７０および紙幣受入口シャッタロック部８０による閉状態でのロックを解除した後に開状態とする。ここで、硬貨カセット３８の下部の放出口シャッタ９２は後述する開作動時を除き閉状態でロックされている。
【００４６】
一方、識別結果に基づく表示から、操作者により表示操作部１４へのキャンセル操作の入力があると、一時貯留引出機構部４２の一時貯留引出ロック部４４によるロックを解除し、引き出しを可能とする。これにより、操作者は、一時貯留引出機構部４２を引き出して一時貯留させていた硬貨および紙幣を機外に取り出す。このとき、識別結果に基づく総額、金種別金額等は記憶しない。
【００４７】
次に、警送会社による硬貨カセット３８および紙幣カセット２８の交換について説明する。
【００４８】
警送会社の搬送担当者による管理下にあるモード切替キー１０４で売上金回収モードが選択されると、売上金入金動作が行われていないこと、および保管庫引出センサ５９で保管庫引出機構部５８の引き出しが検出されていないことを条件に、制御部１６は、硬貨カセット３８および紙幣カセット２８の機体４５からの離脱開始と判定するとともに、回収する現在装填状態にある硬貨カセット３８および紙幣カセット２８に収納されている貨幣の総額および金種別金額等の売上金データをデータ受渡部１５で記憶媒体や印字データとして受け渡す。そして、データの受け渡し後は、現在装填状態にある硬貨カセット３８および紙幣カセット２８の売上金データをクリアする。
【００４９】
そして、離脱の初期として、制御部１６は、上記した売上金入金処理動作および保管庫引出ロック部６０のロック解除を禁止するとともに、硬貨受入口シャッタ制御機構７１および紙幣受入口シャッタ制御機構８１によって硬貨カセット３８および紙幣カセット２８の硬貨受入口シャッタ６８および紙幣受入口シャッタ７８を閉状態とした後に硬貨受入口シャッタロック部７０および紙幣受入口シャッタロック部８０でロックする。なお、この離脱時において、放出口シャッタ９２は閉状態で放出口シャッタロック部９４によりロックされており、また、受取口シャッタ９９も受取口シャッタ制御機構１０１で閉状態でロックされている。
【００５０】
その後、カセット引出ロック部５４のロックを解除する。これにより、カセット引出機構部４８の機体本体４１からの引き出しが可能となる。そして、警送会社の人間がカセット引出機構部４８を引き出す。この引き出しで露出する硬貨カセット３８および紙幣カセット２８の硬貨受入口シャッタ６８および紙幣受入口シャッタ７８は閉状態でロックされているため保安上問題なく引き出すことができる。
【００５１】
そして、警送会社の人間が硬貨カセット３８および紙幣カセット２８を取り外す。すると、硬貨カセット３８から保管庫５７への貨幣の受け渡しが可能となっていることから、カセット引出機構部４８の硬貨カセット装着部４９の開口部８７が露出する。このため、カセット引出機構部４８の位置によっては開口部８７が保管庫５７と水平方向に重なり合ってしまうが、保管庫５７の受取口９８を上方で完全に覆う受取口シャッタ９９が閉状態でロックされているため、開口部８７を介して受取口９８へのアクセスが不可となっており、保安上問題なく硬貨カセット３８を取り外すことができる。また、紙幣カセット装着部５０にはこのような開口部が設けられていないため問題ない。さらに、取り外しで露出する硬貨カセット３８の放出口９１の放出口シャッタ９２は閉状態でロックされているため保安上問題なく取り外すことができ、硬貨カセット３８および紙幣カセット２８の硬貨受入口シャッタ６８および紙幣受入口シャッタ７８の閉状態でのロックと併せて、これら硬貨カセット３８および紙幣カセット２８を保安上問題なく運搬することができる。なお、カセット引出機構部４８の引き出しに連動してつまり硬貨カセット３８の機体４５からの離脱に連動して受取口シャッタ制御機構１０１で受取口シャッタ９９を閉状態でロックするようにしても良い。
【００５２】
以上のモード切替キー１０４による売上金回収モードの選択操作から硬貨カセット３８および紙幣カセット２８のカセット引出機構部４８からの取り外し、さらに後述する装填の開始までが、硬貨カセット３８および紙幣カセット２８の機体４５からの離脱となる。
【００５３】
次に、警送会社の人間が、硬貨受入口シャッタ６８の閉状態でのロックおよび放出口シャッタ９２の閉状態のロックにより保安上問題ない状態で運搬されてきた、釣銭準備金を収納している硬貨カセット３８をカセット引出機構部４８の硬貨カセット装着部４９に装着し、紙幣受入口シャッタ７８の閉状態でのロックにより保安上問題ない状態で運搬されてきた、空の紙幣カセット２８をカセット引出機構部４８の紙幣カセット装着部５０に装着する。そして、カセット引出機構部４８を機体本体４１に押し込む。
【００５４】
以上の硬貨カセット３８および紙幣カセット２８のカセット引出機構部４８への装着およびカセット引出機構部４８の機体本体４１への押し込み完了までが、硬貨カセット３８および紙幣カセット２８の機体４５への装填となる。
【００５５】
制御部１６は、以上の硬貨カセット３８および紙幣カセット２８のカセット引出機構部４８からの離脱およびこの離脱後の装填が検出されると、硬貨カセット３８および紙幣カセット２８が交換されたと判断する。つまり、モード切替キー１０４による売上金回収モードの選択操作検出およびその後のカセット引出センサ５３によるカセット引出機構部４８の引き出し検出がなされ、次に、硬貨カセット脱着センサ６５によるカセット引出機構部４８からの硬貨カセット３８の取り外しおよび直後の装着の検出と、紙幣カセット脱着センサ７５によるカセット引出機構部４８からの紙幣カセット２８の取り外しおよび直後の装着の検出とがなされ、その後、カセット引出センサ５３によるカセット引出機構部４８の押し込み検出がなされると、硬貨カセット３８および紙幣カセット２８の交換が完了した判断する。
【００５６】
硬貨カセット３８および紙幣カセット２８の交換が完了した判断すると、制御部１６は、カセット引出ロック部５４でカセット引出機構部４８をロックするとともに、受取口シャッタ制御機構１０１によって受取口シャッタ９９のロック状態を解除して受取口シャッタ９９を開状態とする。つまり、受取口シャッタ制御機構１０１は硬貨カセット３８および紙幣カセット２８の機体４５への上記した装填に連動して受取口シャッタ９９を開状態とすることになる。
【００５７】
なお、カセット引出機構部４８の押し込みに連動して機械的に受取口シャッタ９９を開状態としても良い。この場合、カセット引出機構部４８の引き出しに連動して機械的に受取口シャッタ９９を閉状態かつロック状態にすることになる。つまり、引き出された状態のカセット引出機構部４８が機体本体４１に押し込まれ始めると、カセット引出機構部４８に設けられた受取口シャッタ制御機構１０１が、受取口シャッタ９９のロック状態を解除し、受取口シャッタ９９の一部に係合してこれを押し込みの移動で一体にスライドさせて開く一方、機体本体４１に押し込まれた状態のカセット引出機構部４８が引き出され始めると、カセット引出機構部４８に設けられた受取口シャッタ制御機構１０１が、受取口シャッタ９９の一部に係合してこれを引き出しの移動で一体にスライドさせて閉じ、その後、ロック状態とする。
【００５８】
さらには、カセット引出機構部４８の硬貨カセット装着部４９への硬貨カセット３８の装着に連動して受取口シャッタ９９を開状態とし、カセット引出機構部４８の硬貨カセット装着部４９からの硬貨カセット３８の取り外しに連動して受取口シャッタ９９を閉状態かつロック状態としても良い。
【００５９】
上記したように硬貨カセット３８および紙幣カセット２８の交換が完了したと判断すると、他方で制御部１６は、上記と並行して硬貨カセット３８および紙幣カセット２８の硬貨受入口シャッタ６８および紙幣受入口シャッタ７８を開状態とする。
【００６０】
なお、硬貨受入口シャッタ制御機構７１および紙幣受入口シャッタ制御機構８１が、カセット引出機構部４８の機体本体４１への押し込みに機械的に連動して、硬貨受入口シャッタ６８および紙幣受入口シャッタ７８を硬貨受入口シャッタロック部７０および紙幣受入口シャッタロック部８０のロックを解除して開状態とするようにしても良い。この場合、カセット引出機構部４８の引き出しに機械的に連動して硬貨受入口シャッタ６８および紙幣受入口シャッタ７８を閉状態とした後に硬貨受入口シャッタロック部７０および紙幣受入口シャッタロック部８０でロックすることになる。
【００６１】
さらには、カセット引出機構部４８の硬貨カセット装着部４９への硬貨カセット３８の装着に機械的に連動して硬貨受入口シャッタ６８のロックを解除し、カセット引出機構部４８の機体本体４１への押し込みに機械的に連動して、硬貨受入口シャッタ６８を開状態とするようにしても良い。この場合、カセット引出機構部４８の機体本体４１への引き出しに機械的に連動して、硬貨受入口シャッタ６８を閉状態とし、カセット引出機構部４８の硬貨カセット装着部４９からの硬貨カセット３８の取り外しに連動して硬貨受入口シャッタ６８をロック状態とする。これは、紙幣カセット２８も同様である。
【００６２】
次に、制御部１６は、受取口シャッタ９９が開状態になったことが受取口シャッタセンサ１００で検出されると、放出口シャッタ制御機構９５により放出口シャッタロック部９４で放出口シャッタ９２のロックを解除して放出口シャッタ９２を開状態とする。これにより、硬貨カセット３８に収納されていた貨幣つまり釣銭準備金が落下して保管庫５７へと受け渡され、保管庫５７に収納される。
【００６３】
その後、制御部１６は、硬貨カセット３８の貨幣検出センサ８８で硬貨カセット３８が空になったこと、つまり硬貨カセット３８から保管庫５７への貨幣つまり釣銭準備金の受け渡し完了が検出されたことを条件に、放出口シャッタ制御機構９５により放出口シャッタ９２を閉状態とした後、放出口シャッタロック部９４で放出口シャッタ９２をロック状態とする。なお、制御部１６は、放出口シャッタ制御機構９５により放出口シャッタ９２を開作動させ、その後、硬貨カセット３８から貨幣が保管庫５７へ受け渡されるのに十分な時間の経過を見ることで、硬貨カセット３８から保管庫５７へと釣銭準備金が受け渡されたことを検出するようにしても良い。
【００６４】
そして、制御部１６は、上記のように、硬貨カセット３８の貨幣検出センサ８８で硬貨カセット３８が空になったことを条件に行われる放出口シャッタ９２の閉作動により、放出口シャッタ９２が閉状態になったことが放出口シャッタセンサ９３で検出されると、硬貨受入口シャッタセンサ６９および紙幣受入口シャッタセンサ７９で硬貨受入口シャッタ６８および紙幣受入口シャッタ７８の開状態が検出されていることをさらに条件として加えて、制御部１６は、硬貨カセット３８および紙幣カセット２８の機体４５からの離脱時に禁止状態とされた売上金入金処理動作を許可する。これにより、売上金入金機１１が上述した売上金入金処理動作のできる状態となり、本来の機能を果たすことになる。
【００６５】
また、制御部１６は、硬貨カセット３８の貨幣検出センサ８８で硬貨カセット３８が空になったこと、つまり硬貨カセット３８から保管庫５７への貨幣つまり釣銭準備金の受け渡しが検出されたことを条件に、上記と並行して受取口シャッタ制御機構１０１により受取口シャッタ９９を閉状態としてロックする。つまり、硬貨カセット３８の装填に連動して行われる一連の動作で受取口シャッタ制御機構１０１により受取口シャッタ９９が閉状態かつロック状態とされる。なお、放出口シャッタ９２および受取口シャッタ９９は、硬貨カセット３８および紙幣カセット２８の交換時における硬貨カセット３８から保管庫５７への貨幣つまり釣銭準備金の受け渡し時以外は常に閉状態かつロック状態とされる。ここで、受取口シャッタ９９を釣銭準備金の受け渡し時以外でも開状態とすることもでき、この場合、硬貨カセット３８の機体４５からの離脱に連動して受取口シャッタ９９を閉状態かつロック状態とするように受取口シャッタ制御機構１０１を制御しても良い。
【００６６】
以上により、受取口シャッタ制御機構１０１は、硬貨カセット脱着センサ６５、紙幣カセット脱着センサ７５およびカセット引出センサ５３で、硬貨カセット３８および紙幣カセット２８の機体４５からの離脱およびこの離脱後の装填が検出されると、その直後に受取口シャッタ９９を一度だけ開状態とし、硬貨カセット３８および紙幣カセット２８の機体４５からの離脱時には閉状態かつロック状態とする。また、放出口シャッタ制御機構９５は、硬貨カセット脱着センサ６５、紙幣カセット脱着センサ７５およびカセット引出センサ５３で、硬貨カセット３８および紙幣カセット２８の機体４５からの離脱およびこの離脱後の装填が検出されると、この装填された硬貨カセット３８の放出口シャッタ９２を一度だけ開状態とし、その後、売上金入金処理動作の許可前に、放出口シャッタ９２を閉状態かつロック状態とする。
【００６７】
なお、取り外された硬貨カセット３８および紙幣カセット２８は、警送会社の精算場所に運搬され、精算場所で開閉扉７２，８２を介して硬貨および紙幣の抜き取りおよび釣銭準備金の収納が行われる。このため、開閉扉７２，８２をロックおよびロック解除するカセット開閉キー７３，８３は、警送会社の売上金回収後の精算を担当する精算担当者および釣銭準備金を硬貨カセット３８に装填する準備金装填担当者の管理下に管理される。  
【００６８】
以上に述べた本実施形態の売上金入金機１１によれば、売上金を収納した硬貨カセット３８を機体４５から取り外し、かわりに釣銭準備金を収納した硬貨カセット３８を機体４５に装填すると、硬貨カセット脱着センサ６５およびカセット引出センサ５３で硬貨カセット３８の機体４５に対する離脱および該離脱後の装填が検出されることになり、これにより制御部１６が、機体４５に装填された硬貨カセット３８の貨幣つまり釣銭準備金を、受取口シャッタ制御機構１０１による受取口シャッタ９９の開作動および放出口シャッタ制御機構９５による放出口シャッタ９２の開作動で保管庫５７に受け渡させる。そして、貨幣検出センサ８８でこのように硬貨カセット３８から保管庫５７への貨幣つまり釣銭準備金の受け渡しが検出されたことを条件に、少なくとも硬貨カセット３８の機体４５に対する離脱時から禁止状態とされている売上金入金処理動作を許可する。このように、釣銭準備金を機外に取り出すことなく機体４５内で硬貨カセット３８から保管庫５７に移すことができることから、店側の管理者でなくても保安上問題なく釣銭準備金を移すことができ、よって、硬貨カセット３８の装填後に速やかに釣銭準備金を移して硬貨カセット３８を空にすることができる。したがって、売上金の回収および釣銭準備金の受け渡しを硬貨カセット３８の交換で行う売上金回収システムに用いられるものにおいて、硬貨カセット３８の交換後速やかに売上金の入金が可能となる。
【００６９】
また、硬貨カセット３８からの貨幣つまり釣銭準備金を受け入れる保管庫５７に設けられた受取口９８を開閉させる受取口シャッタ９９が、受取口シャッタ制御機構１０１によって、硬貨カセット３８が機体４５へ装填された状態で開状態とされ硬貨カセット３８が機体４５から離脱された状態で閉状態かつロック状態とされるため、硬貨カセット３８の機体４５からの離脱時にカセット引出機構部４８の開口部８７があっても保管庫５７の受取口９８を閉塞状態にでき、保安上優れることになる。
【００７０】
さらに、受取口シャッタ制御機構１０１が、硬貨カセット３８の機体４５への装填に連動して受取口シャッタ９９を開状態とするため、機体４５に装填された硬貨カセット３８の貨幣をつまり釣銭準備金を保管庫５７に受け渡させる際に、受取口シャッタ９９を開状態とするためだけの操作が不要で、操作が容易となる。
【００７１】
また、受取口シャッタ制御機構１０１が、硬貨カセット３８の機体４５への装填に連動して受取口シャッタ９９を開状態とし、さらに連動して閉状態かつロック状態とするため、機体４５に装填された硬貨カセット３８の貨幣つまり釣銭準備金を保管庫５７に受け渡させた後に、受取口シャッタ９９を閉状態かつロック状態とするためだけの操作が不要で、操作が容易となる。
【００７２】
加えて、受取口シャッタ９９と受取口シャッタ制御機構１０１とが機体本体４１側に設けられているため、店舗側管理者の管理下にある保管庫引出キー６１の挿入操作で保管庫引出ロック部６０のロックを解除して保管庫引出機構部５８により保管庫５７を機体本体４１に対し引き出す場合には、常に受取口９８を開放できる。したがって、保管庫５７からの貨幣つまり釣銭準備金の取り出しが容易となる。なお、受取口シャッタ９９を保管庫５７の上部に設けても良いが、この場合には、保管庫引出機構部５８の引き出しに連動して受取口シャッタ９９を開状態とする機構を設けるのが良い。
【００７３】
また、硬貨カセット脱着センサ６５およびカセット引出センサ５３で、硬貨カセット３８の機体４５に対する離脱およびこの離脱後の装填が検出されると、放出口シャッタ制御機構９５が、当該装填された硬貨カセット３８の放出口シャッタ９２を開状態として放出口９１を開放させるため、機体４５に装填された硬貨カセット３８の貨幣を保管庫５７に受け渡させる際に、放出口シャッタ９２を開状態とするためだけの操作が不要で、操作が容易となる。そして、その後、放出口シャッタ制御機構９５は、売上金入金処理動作を許可する前に放出口シャッタ９２を閉状態かつロック状態とするため、機体４５に装填された硬貨カセット３８の貨幣を保管庫５７に受け渡させた後、放出口シャッタ９２を閉状態かつロック状態とするためだけの操作が不要で、操作が容易となる。
【００７４】
さらに、保管庫５７は機体４５に装填された硬貨カセット３８の真下に設けられているため、硬貨カセット３８から保管庫５７への貨幣つまり釣銭準備金の受け渡しのための機構を簡素かつコンパクトにできる。
【００７５】
なお、以上においては、交換時に硬貨カセット３８に釣銭準備金を収納しておく場合を例にとり説明したが、紙幣カセット２８に釣銭準備金を収納するようにしても良い。この場合、紙幣カセット２８側に上記において硬貨カセット３８に設けられた放出口シャッタ９２およびこれに関わる構成を設けるとともに、保管庫５７、受取口シャッタ９９およびこれに関わる構成も紙幣カセット２８の真下に設けることになる。同様にして、硬貨カセット３８および紙幣カセット２８の両方に釣銭準備金を収納するようにしても、両方に上記構成を設ければ良い。
【図面の簡単な説明】
【００７６】
【図１】本発明の一実施形態の売上金入金機を概略的に示す側面図である。
【符号の説明】
【００７７】
１１  売上金入金機
１６  制御部（制御手段）
２１  紙幣入金部（入金部）
２８  紙幣カセット（貨幣カセット）
３１  硬貨入金部（入金部）
３８  硬貨カセット（貨幣カセット）
４１  機体本体
４５  機体
５３  カセット引出センサ（カセット脱着検出手段）
５７  保管庫
６５  硬貨カセット脱着センサ（カセット脱着検出手段）
８８  貨幣検出センサ（貨幣受渡検出手段）
９１  放出口
９２  放出口シャッタ（受渡手段，放出口開閉部材）
９５  放出口シャッタ制御機構（受渡手段，放出口開閉部材開閉手段）
９８  受取口
９９  受取口シャッタ（受取口開閉部材）
１０１  受取口シャッタ制御機構（受取口開閉部材開閉手段）
【図１】
2005276082.tif 000003